(57)【要約】【課題】  ブラケット本体に対するブラケットカバーの取り外し作業を容易にした手摺りを提供する。【解決手段】  手摺り１は、手摺り棒２と、手摺り棒２を被設置部４に取り付けるためのブラケット本体５と、ブラケット本体５を被覆するブラケットカバー３０を備える。ブラケットカバー３０は、ブラケット本体５の外装部材２０の係止片２６に設けた係止凸部２７とブラケットカバー３０の側壁３２に設けた係止凹部３７との係合により、外装部材２０に対して係止される。係止凸部２７と係止凹部３７は、円弧状の湾曲部２８及び３８において当接しており、ブラケットカバー３０を外装部材２０に対して回動するように動かすことにより、湾曲部２８及び３８において摺動して係合が解除される。【選択図】      図８
2017179941.tif 000002
【特許請求の範囲】
【請求項１】
手摺り棒と、前記手摺り棒を被設置部に取り付けるためのブラケット本体と、前記ブラケット本体に着脱可能に装着されたブラケットカバーとを備えた手摺りにおいて、
前記ブラケット本体と前記ブラケットカバーとの間に係止手段を備え、
前記係止手段は、前記ブラケット本体と前記ブラケットカバーのいずれか一方に設けられた係止凸部と、いずれか他方に設けられ前記係止凸部に係合する係止凹部とを備え、
前記係止凸部と前記係止凹部のそれぞれには、互いに当接可能に対向する湾曲部が形成され、
前記ブラケットカバーの湾曲部が前記ブラケット本体の湾曲部を摺動するようにブラケットカバーがブラケット本体に対して変位することにより、前記係止凸部と前記係止凹部との係合が解除され得るようになっている手摺り。
【請求項２】
請求項１に記載の手摺りにおいて、
前記ブラケット本体の湾曲部が凸湾曲状に形成され、前記ブラケットカバーの湾曲部が凹湾曲状に形成されている手摺り。
【請求項３】
請求項１又は請求項２に記載の手摺りにおいて、
前記ブラケットカバーの湾曲部及び前記ブラケット本体側の湾曲部は、前記ブラケットカバーの一端を中心とした仮想円周に沿った弧状に形成され、
前記ブラケットカバーは、この一端を支点として前記ブラケット本体に対して回動され得るようになっている手摺り。
【請求項４】
請求項１から請求項３のいずれか１項に記載の手摺りにおいて、
前記ブラケット本体と前記ブラケットカバーのいずれか一方には、前記係止凸部を有して延出された係止片がいずれか他方の内側面に沿って配置され得るようになっている手摺り。
【請求項５】
請求項１から請求項４のいずれか１項に記載の手摺りにおいて、
前記ブラケット本体は、前記手すり棒を固定されたブラケット部材と、前記ブラケット部材の少なくとも一部を覆う外装部材とを備え、
前記外装部材が前記係止凸部又は前記係止凹部を備えている手摺り。
【発明の詳細な説明】
【技術分野】
【０００１】
本発明は、ブラケット本体に着脱可能なブラケットカバーを備えた手摺りに関するものである。
【背景技術】
【０００２】
浴室等に設けられる手摺りとしては、従来から、手摺り棒を手摺り用ブラケットで被設置部（例えば浴室の壁部）に設置するものが知られている。この場合、ブラケットは、ネジ等の固定手段を介して被設置部に固定されることになる。このような固定構造の露出を防止するために、２つの部分からなるブラケットカバーを用い、これらのブラケットカバーでブラケット部材を覆うことにより、ブラケットの被設置部への固定構造を隠すようにした構成が知られている。
【０００３】
このような手摺り用ブラケットの例として、例えば特開２００４−１４３８３１（特許文献１）には、手摺りブラケット４において、固定片５及び連結片６を覆うカバー１１を、一対のカバー単体１２から構成した発明が開示されている。また、特開２００１−３２９６７２（特許文献２）には、手摺り受け金具１０において、固定部材１３を覆うカバーを、第１分割カバー３０と第２分割カバー５０とから構成した発明が開示されている。
【先行技術文献】
【特許文献】
【０００４】
【特許文献１】特開２００４−１４３８３１
【特許文献２】特開２００１−３２９６７２
【発明の概要】
【発明が解決しようとする課題】
【０００５】
ところで、固定手段のネジ等の締め直しや取り外し等を行う際の利便性のために、特許文献１記載の手摺り用ブラケット４において、嵌合縁１３の係止突部１４ａと係止凹部１４ｂとの係合を容易に解除できるように形成した場合、カバー単体１２が引っ張られただけでこの係合が不必要に外れてしまう。あるいは、特許文献２記載の手摺り受け金具１０において、係合突起４６と被係合部５６との係合を容易に解除できるように形成した場合、第２分割カバー５０が引っ張られただけでこの係合が不必要に外れてしまう。
【０００６】
本発明は、以上のような事情を勘案してなされたもので、その目的は、ブラケット本体にブラケットカバーを備えた手摺りにおいて、ブラケット本体とブラケットカバーの間の係止手段が不必要に外れることがなく、且つブラケット本体に対するブラケットカバーの取り外し作業が容易である手摺りを提供することである。
【課題を解決するための手段】
【０００７】
前記目的を達成するため、本発明にあっては、次のような解決方法を採択している。すなわち、本発明は、手摺り棒と、前記手摺り棒を被設置部に取り付けるためのブラケット本体と、前記ブラケット本体に着脱可能に装着されたブラケットカバーとを備えた手摺りにおいて、前記ブラケット本体と前記ブラケットカバーとの間に係止手段を備え、前記係止手段は、前記ブラケット本体と前記ブラケットカバーのいずれか一方に設けられた係止凸部と、いずれか他方に設けられ前記係止凸部に係合する係止凹部とを備え、前記係止凸部と前記係止凹部のそれぞれには、互いに当接可能に対向する湾曲部が形成され、前記ブラケットカバーの湾曲部が前記ブラケット本体の湾曲部を摺動するようにブラケットカバーがブラケット本体に対して変位することにより、前記係止凸部と前記係止凹部との係合が解除され得るようになっている。
【０００８】
上記解決手法によれば、ブラケット本体（例えば実施形態におけるブラケット部材１０及び外装部材２０）にブラケットカバー（例えば実施形態におけるブラケットカバー３０）を装着した状態において、ブラケットカバーの湾曲部がブラケット本体の湾曲部に当接する方向に向けてブラケットカバーを引っ張ると、ブラケットカバーの湾曲部がブラケット本体の湾曲部に係止することにより、係止凸部と係止凹部の係合が維持される一方で、ブラケットカバーをブラケット本体に対して回動させるように動かすことにより、ブラケットカバーの湾曲部がブラケット本体の湾曲部を摺動し、係止凸部と係止凹部の係合を解除することができる。
【０００９】
前記手摺りは、前記ブラケット本体の湾曲部が凸湾曲状に形成され、前記ブラケットカバーの湾曲部が凹湾曲状に形成されていてもよい。
【００１０】
前記ブラケットカバーの湾曲部及び前記ブラケット本体側の湾曲部は、前記ブラケットカバーの一端を中心とした仮想円周に沿った弧状に形成され、前記ブラケットカバーは、この一端を支点として前記ブラケット本体に対して回動され得るようになっていてもよい。
【００１１】
前記ブラケット本体と前記ブラケットカバーのいずれか一方には、前記係止凸部を有して延出された係止片がいずれか他方の内側面に沿って配置され得るようになっていてもよい。
【００１２】
上記解決手法により、スムーズに係合解除できる係止手段を簡素な構成で形成することができる。
【００１３】
前記ブラケット本体は、前記手すり棒を固定されたブラケット部材と、前記ブラケット部材の少なくとも一部を覆う外装部材とを備え、前記外装部材が前記係止凸部又は前記係止凹部を備えていてもよい。この構成により、ブラケット部材を、ブラケットカバーと外装部材で適切に覆うことができる。
【発明の効果】
【００１４】
本発明によれば、ブラケット本体に対してブラケットカバーを回動させるように動かすと、係止手段の係止凸部と係止凹部との係合を解除できるので、ブラケット本体に対するブラケットカバーの取り外し作業を極めて容易かつスムーズに行うことができる。また、ブラケットカバーの湾曲部がブラケット本体の湾曲部に当接する方向に向けて方向にブラケットカバーが引っ張られても、係止手段の係止凸部と係止凹部との係合が解除されないため、ブラケットカバーがブラケット本体から不必要に外れることがない。
【図面の簡単な説明】
【００１５】
【図１】本発明の実施形態における手摺りの全体構成を示す正面図。
【図２】同じく手摺りの側断面図であり、図１のＡ−Ａ断面図。
【図３】本発明の実施形態における手摺りの外装部材を示す側面図。
【図４】同じく外装部材を示す正面図。
【図５】同じく外装部材を示す背面図。
【図６】同じくブラケットカバーを示す側断面図。
【図７】同じく手摺りの側面図であり、ブラケットカバーが外装部材に取り付けられた状態を示す図。
【図８】同じく手摺りの側面図であり、ブラケットカバーが外装部材に対して着脱される途中の状態を示す図。
【図９】同じくブラケット部材を示す側面図。
【発明を実施するための形態】
【００１６】
以下、添付図面に基づいて本発明の実施形態について説明する。
【００１７】
図１には、本発明の実施形態における手摺り１の全体構成を示す。また、図２には、図１のＡ−Ａ断面を示す。図示されるように、手摺り１は、直線状の手摺り棒（笠木）２と、手摺り棒２の各所（本実施形態では、左右両端付近と長手方向中央）に設けられた複数の手摺用ブラケット３とを備えている。手摺用ブラケット３は、ブラケット本体５と、ブラケット本体５に着脱可能に装着されたブラケットカバー３０とを備えている。手摺り棒２は、略角丸長方形の断面を有する長尺の筒状部材である。なお、本実施形態において、手摺り１は、垂直方向に延びる平面である被設置部４に対して、手摺り棒２が横向きに配置されるように取り付けられている。
【００１８】
ブラケット本体５は、手摺り棒２を被設置部４（例えば浴室等の壁）に取り付けるための連結部材であり、手摺り棒２と被設置部４の間に配置されている。ブラケット本体５は、被設置部４に固定されるブラケット部材１０と、ブラケット部材１０の上部を覆う外装部材２０とから構成されている。ブラケットカバー３０は、外装部材２０に対して下側から装着され、ブラケット部材１０の下部を覆っている。
図２及び図９に示すように、ブラケット部材１０は、基端部１１と、基端部１１から前方に延び出す中間部１２と、中間部１２から上方に屈曲して延びる先端部１３とを備えている。中間部１２は、中間壁１２Ａと、中間壁１２Ａの両側から延び出す一対の側壁１２Ｂとを備えた断面コの字型に形成されている。中間壁１２Ｂには筒状部１２Ｃが形成されており、この筒状部１２Ｃには後述の外装部材２０のネジ止め凸部２５が中間壁１２Ｂの上側から挿入される。基端部１１は、ネジ１４及び１５を介して被設置部４に固定される。基端部１１の前面やネジ１４、１５はブラケットカバー３０により覆い隠されている。ネジ１４は、被設置部４を貫通して、被設置部４の裏面４Ａに配置された座金１６にまで達している。座金１６は、タッピンネジ１７によって、被設置部４の裏面４Ａに固定されている。基端部１１の両側の側面には溝部１１Ａが形成されており、後述の外装部材２０の係止片２６が撓むスペースが確保されている。また、先端部１３には、ネジ１８を介して手摺り棒２が固定されている。
【００１９】
図３から図５にも示すように、外装部材２０は、中間壁２１と、中間壁２１の両側から延び出す一対の側壁２２とを備えたコの字型断面の部材である。外装部材２０は、ブラケット部材１０の上側を覆うカバーであり、図３に示すように、ブラケット部材１０の形状に合わせて先端側で折れ曲がった形状を有している。また、外装部材２０は、ブラケット部材１０に取り付けられたとき、基端縁２３が被設置部４に隣接して配置され、また先端縁２４が手摺り棒２の下方に隣接して配置されるようになっている。
【００２０】
外装部材２０の両側側壁２２の下端縁２２Ａは、開放端となっており、この下端縁２２Ａに、ブラケットカバー３０が装着されるようになっている。また、中間壁２１の屈曲部分の手前付近からは、ネジ止め凸部２５が下方に向けて延び出している。このネジ止め凸部２５には、ネジ挿通穴２５Ａが形成されており、外装部材２０に取り付けられたブラケットカバー３０が、このネジ止め凸部２５においてネジ止め固定されるようになっている。
【００２１】
外装部材２０の両側側壁２２の基端付近からは、ブラケットカバー３０との係合のための係止片２６が、側壁２２のわずかに内側を、側壁２２と略平行に延び出している。これにより、外装部材２０にブラケットカバー３０が装着されたときに、係止片２６が、ブラケットカバー３０の側壁３２（図６参照）の内側面に沿って配置されるようになっている。
【００２２】
外装部材２０の係止片２６の先端側外面には、ブラケットカバー３０の係止凹部３７（図６参照）に係合するための係止凸部２７が形成されている。この係止凸部２７に段状に形成された上端縁（ブラケットカバー３０と反対側の縁）は、円弧状に湾曲した湾曲部２８となっている。図３に示すように、湾曲部２８は、基端２３側（ブラケット本体５の被設置部４への取り付け側）から離れるにしたがって、下側（ブラケットカバー３０が取り付けられる側）に向けて傾斜するように凸湾曲している。
【００２３】
図６にも単独で示すように、ブラケットカバー３０は、中間壁３１と、中間壁３１の両側から延び出す一対の側壁３２とを備えたコの字型断面の部材である。ブラケットカバー３０は、ブラケット部材１０の下側を覆うカバーであり、ブラケット部材１０の形状に合わせて先端側で折れ曲がった形状を有しており、外装部材２０に装着されたとき、基端縁３３が被設置部４に隣接して配置され、また先端縁３４が手摺り棒２の下方に隣接して配置されるようになっている。
【００２４】
また、ブラケットカバー３０の両側側壁３２の上端縁３２Ａは、開放端となっており、ブラケットカバー３０が外装部材２０の下側に取り付けられたときには、外装部材２０の両側側壁２１の下端縁２２Ａに係合するようになっている。
【００２５】
ブラケットカバー３０の中間壁３１には、外装部材２０に装着されたときに、外装部材２０のネジ止め凸部２５の下方に配置される位置に、ネジ止め凹部３５が形成されている。このネジ止め凹部３５には、ネジ挿通穴３５Ａが形成されており、図２に示すように、このネジ挿通穴３５Ａ及びネジ止め凸部２５のネジ挿通穴２５Ａにねじ込まれたネジ１９によって、ブラケットカバー３０が、外装部材２０に対してネジ止め固定されるようになっている。
【００２６】
ブラケットカバー３０の両側側壁３２の内側面には、係止凹部３７が形成されている。係止凹部３７は、ブラケットカバー３０の外装部材２０への装着時に、外装部材２０の係止凸部２７が係止凹部３７内に位置するように、ブラケットカバー３０の基端３３付近に配置されている。また、係止凹部３７の基端側の端部３７Ａは開口となっており、外装部材２０の係止凸部２７が、この端部３７Ａの開口から係止凹部３７内に入り込めるようになっている。
【００２７】
係止凹部３７の上端縁は、円弧形状に凹湾曲した湾曲部３８となっている。この係止凹部３７の湾曲部３８は、係止凸部２７の湾曲部２８にちょうど整合した形状を有しており、基端３３側（ブラケット本体５の被設置部４への取り付け側）から離れるにしたがって、下側（外装部材２０と反対側）に向けて傾斜するように凹湾曲している。これにより、外装部材２０の係止凸部２７がブラケットカバー３０の係止凹部３７内に係合したとき、係止凹部３７の湾曲部３８は、係止凸部２７の湾曲部２８に対向して隣接した状態に配置されるようになっている。
【００２８】
次に、図７及び図８を参照して、外装部材２０（ブラケット本体５）に対するブラケットカバー３０の着脱について説明する。なお、これらの図においては、簡明のため、ブラケット部材１０の図示は省略されている。
【００２９】
図７には、ブラケットカバー３０が外装部材２０（ブラケット本体５）に取り付けられた状態を示す。図示されるように、この装着状態においては、ブラケット部材１０の上部を覆う外装部材２０に対して、ブラケットカバー３０が下側から装着されており、外装部材２０の係止片２６の係止凸部２７は、ブラケットカバー３０の係止凹部３７に係合した状態となっている。この係合は、ブラケットカバー３０が外装部材２０に対して重ね合わされている方向（上下方向）に対して略直交する方向（横方向）になされているので、ブラケットカバー３０（特に基端部３３側）が下方向に引っ張られても、係止凹部３７の湾曲部３８が係止片２６の係止凸部２７の湾曲部２８に当接して係止するため、ブラケットカバー３０が外装部材２０から外れないようになっている。
【００３０】
このように、係止凸部２７と係止凹部３７との係合がなされた状態で、さらに、外装部材２０のネジ止め凸部２５及びブラケットカバー３０のネジ止め凹部３５において、ネジ１９によるネジ止めがなされることにより、ブラケットカバー３０が外装部材２０に対して完全に固定される。ここで、ブラケットカバー３０の先端縁３４側の部位がネジ１９によりブラケット本体５に固定された状態で、ブラケットカバー３０の基端縁３３側の部位がブラケット本体５から離れる方向へ引っ張られた場合に、従来のブラケットカバーのように係止凸部２７と係止凹部３７との係合が容易に外れるとすると、ブラケットカバー３０におけるネジ１９よりも基端縁３３側の部位が無理に開かれて、ブラケットカバー３０に亀裂や破断が生じるおそれがあるが、本実施形態では、係止凸部２７と係止凹部３７との係合が維持されるため、このようにブラケットカバー３０が無理に開かれて破損することはない。
【００３１】
図８には、ブラケットカバー３０を外装部材２０（ブラケット本体５）から取り外す途中の状態を示す。ブラケットカバー３０を外装部材３０から取り外すには、ネジ１９をネジ止め凸部２５から取り外した状態とすることで、基端縁３３の下縁部３３Ａを支点にとして、ブラケットカバー３０を開く方向（図８の時計回り転方向）に回動させることができる。
【００３２】
このように、基端縁３３の下縁部３３Ａを支点にとしてブラケットカバー３０を回動するように開くことにより、係止凸部２７と係止凹部３７の係合は、スムーズに解除される。すなわち、係止凸部２７の湾曲部２７と係止凹部３７の湾曲部２８は、基端縁３３の下縁部３３Ａを中心とした仮想円周に沿った弧状に形成されている。ブラケットカバー３０を外装部材２０に対して時計回り方向に回動させていくと、係止凹部３７の湾曲部３８が係止凸部２７の湾曲部２８を摺動し、最終的に係止凹部３７の湾曲部３８が係止凸部２７の湾曲部２８から外れることとなる（換言すると、係止凸部２７が係止凹部３７から抜け出た状態となる。）。これにより、係止凸部２７と係止凹部３７との係合が解除されるため、ブラケットカバー３０を外装部材２０から取り外すことができる。したがって、係止凸部２７と係止凹部３７の係合解除は、外装部材２０に対してブラケットカバー３０を回動させるだけで、極めて容易かつスムーズに行うことができるので、ブラケットカバー３０の取り外し作業を効率化できる。
【００３３】
これに対し、ブラケットカバー３０を外装部材２０に取り付けるには、基端縁３３の下縁部３３Ａを支点にとして、上述のブラケットカバー３０の取り外しとは逆方向（図８の反時計回り方向）に回動させて、側壁３２の端部３７Ａの開口から係止凹部３７内に外装部材２０の係止凸部２７を挿入させて、係止凸部２７と係止凹部３７とを係合させることにより、ブラケットカバー３０を外装部材２０に装着することができる。または、ブラケットカバー３０をブラケット部材１０の正面側から被せていき、側壁３２の端部３７Ａの開口から係止凹部３７内に外装部材２０の係止凸部２７を挿入させて、係止凸部２７と係止凹部３７とを係合させることにより、ブラケットカバー３０を外装部材２０に装着することも可能である。あるいは、ブラケットカバー３０をブラケット部材１０の下側から被設置部４に沿って被せていくと、側壁３２内面の摺接部３９（図６参照）が外装部材２０の係止凸部２７を押圧して係止片２６を撓ませるが、摺接部３９が係止片２６の係止凸部２７を乗り越えると、係止片２６が弾性変形して係止凸部２７が係止凹部３７に係合する。このようにして、ブラケットカバー３０を外装部材２０に装着することも可能である。
【００３４】
以上、本発明の実施形態について説明したが、本発明は、上記実施形態に限定されるものではなく、特許請求の範囲に記載された範囲において適宜の変更が可能である。例えば、上記実施形態においては、外装部材２０（ブラケット本体５）側に係止凸部２７を備え、ブラケットカバー３０側に係止凹部３７を備えるようにしたが、本発明はこのような形態に限られるものではなく、外装部材２０（ブラケット本体５）側に係止凹部を備え、ブラケットカバー３０側に係止凸部を備えるようにしても構わない。
【００３５】
また、上記実施形態においては、係止手段を備えた係止片２６を外装部材２０に設けたが、本発明はこのような形態に限られるものではなく、係止片をブラケットカバー３０側に設け、外装部材２０（ブラケット本体５）側に係止凹部を設けるようにすることもできる。
【００３６】
また、上記実施形態では、別体に形成したブラケット部材１０と外装部材２０とを組み合わせてブラケット本体５としたが、本発明はこのような形態に限られるものではなく、ブラケット部材１０と外装部材２０を一体に形成したブラケット本体とし、このブラケット本体とブラケットカバー３０の間に係止手段を備え、ブラケット本体に対してブラケットカバー３０が着脱されるようにしてもよい。
【産業上の利用可能性】
【００３７】
本発明は、浴室、トイレ、玄関、洗面所、階段等の壁面や、各種設置物の表面等に取り付けられる手摺りに利用できる。
【符号の説明】
【００３８】
１  手摺り
２  手摺り棒
３  手摺用ブラケット
４  被設置部
５  ブラケット本体
１０  ブラケット部材
１１  ブラケット部材の基端部
１１Ａ  ブラケット部材の基端部の溝部
１２  ブラケット部材の中間部
１２Ａ  ブラケット部材の中間部の中間壁
１２Ｂ  ブラケット部材の中間部の側壁
１２Ｃ  ブラケット部材の筒状部
１３  ブラケット部材の先端部
１４  ネジ
１５  ネジ
１６  座金
１７  タッピンネジ
１８  ネジ
１９  ネジ
２０  外装部材
２１  外装部材の中間壁
２２  外装部材の側壁
２３  外装部材の基端縁
２４  外装部材の先端縁
２５  ネジ止め凸部
２６  係止片
２７  係止凸部
２８  係止凸部の湾曲部
３０  ブラケットカバー
３１  ブラケットカバーの中間壁
３２  ブラケットカバーの側壁
３３  ブラケットカバーの基端縁
３４  ブラケットカバーの先端縁
３５  ネジ止め凹部
３７  係止凹部
３８  係止凹部の湾曲部
３９  摺接部
【図１】
2017179941.tif 000003
【図２】
2017179941.tif 000004
【図３】
2017179941.tif 000005
【図４】
2017179941.tif 000006
【図５】
2017179941.tif 000007
【図６】
2017179941.tif 000008
【図７】
2017179941.tif 000009
【図８】
2017179941.tif 000010
【図９】
2017179941.tif 000011